(57)【特許請求の範囲】
【請求項１】
接続すべき二枚の遮水シートの側縁部を相互に重合させた状態で受けるシート受面を有する治具プレート上に超音波溶着機を搭載してなる溶着ユニットと該溶着ユニットを移動させる駆動手段とを備え、前記溶着ユニットの超音波溶着機は、防水ケース内に配置した超音波振動子から延ばしたホーンを前記治具プレートのシート受面に対して進退動させて、前記二枚の遮水シートの重合部分を超音波溶着するようになっており、前記溶着ユニットの治具プレートが、シート受面よりも移動方向前側部分に、接続すべき二枚の遮水シートを上下に分けて案内する２つの案内路と、該２つの案内路を前記シート受面上で合流させる合流路とを備えており、前記接続すべき二枚の遮水シートは、前記駆動手段による前記溶着ユニットの移動に応じて前記シート受面上を滑動することを特徴とする水中シート接続装置。
【請求項２】
溶着ユニットの治具プレート上に、超音波溶着機のホーンの周りの遮水シートをシート受面に対して押える押圧装置を搭載したことを特徴とする請求項１に記載の水中シート接続装置。
【請求項３】
溶着ユニットに、超音波溶着機をその軸線回りに所定角度だけ回転させる回動手段を付設したことを特徴とする請求項１または２に記載の水中シート接続装置。
【請求項４】
溶着ユニットに、治具プレートの合流路内に洗浄水を噴射する噴射ノズルを付設したことを特徴とする請求項１乃至３の何れか１項に記載の水中シート接続装置。
【発明の詳細な説明】
【０００１】
【発明の属する技術分野】
本発明は、遮水シートを水中に敷設する水中シート敷設工法の実施に用いる水中シート接続装置に関する。
【０００２】
【従来の技術】
例えば、河川や海域の一部を締切って埋立地や廃棄物の処分場とする場合は、汚染物質が外部へ漏出するのを防ぐため、遮水シートによりそれらの周りを完全にシールする必要がある。そして従来、このような遮水シートの敷設工法としては、気中にてシートを溶接（溶着）し、浮体を取付けて所定位置海面上に展開し、浮体を取外しながら沈設（敷設）するようにしていた。
【０００３】
ところで、遮水シートは、通常シートロールとして限られた幅（２〜６ｍ）で提供されており、したがって、その敷設を行うには、シート同士を接続してその表面積を拡大する必要がある。この場合、遮水シートは、その使用目的から接続部の遮水性を確保しなければならず、そこで従来は、接続すべき二枚の遮水シートの側縁部を重合させて、この重合部分を、例えば熱風溶着機により連続溶着するようにしていた。
【０００４】
【発明が解決しようとする課題】
しかしながら、上記熱風溶着機による溶着を利用する遮水シートの接続方法によれば、気中での接続が条件となるため、狭い台船上でその接続作業を行わなければならないことに加え、接続を終えた広大な遮水シートを、例えばフロートで吊りながら沈設させなければならず、シート破損の危険もあって、施工がきわめて面倒であるという問題があった。
【０００５】
本発明は、上記従来の問題点に鑑みてなされたもので、その課題とするところは、遮水シート同士を水中で接続することにより上記した気中接続による問題点を解消し、もって施工性の向上に大きく寄与する水中シート接続装置を提供することにある。
【０００６】
【課題を解決するための手段】
上記課題を解決するため、本発明に係る水中シート接続装置は、接続すべき二枚の遮水シートの側縁部を相互に重合させた状態で受けるシート受面を有する治具プレート上に超音波溶着機を搭載してなる溶着ユニットと該溶着ユニットを移動させる駆動手段とを備え、前記溶着ユニットの超音波溶着機は、防水ケース内に配置した超音波振動子から延ばしたホーンを前記治具プレートのシート受面に対して進退動させて、前記二枚の遮水シートの重合部分を超音波溶着するようになっており、前記溶着ユニットの治具プレートが、シート受面よりも移動方向前側部分に、接続すべき二枚の遮水シートを上下に分けて案内する２つの案内路と、該２つの案内路を前記シート受面上で合流させる合流路とを備えており、前記接続すべき二枚の遮水シートは、前記駆動手段による前記溶着ユニットの移動に応じて前記シート受面上を滑動することを特徴とする。このように構成した水中シート接続装置においては、溶着ユニットの移動に応じて二枚の遮水シートが、側縁部を重合させた状態で治具プレートのシート受面に送られるので、治具プレートの断続的な移動と超音波溶着機のホーンの進退動とを同期させることで、二枚の遮水シートの重合部分を連続的に溶着することができる。また、本装置を水中シート敷設工法に適用することで、超音波溶着の利用により水中でも遮水シート同士を確実に接続することができ、気中で接続してから沈設する面倒な作業は不要になる。
【０００７】
本発明の装置において、上記溶着ユニットの治具プレートは、シート受面よりも移動方向前側部分に接続すべき二枚の遮水シートを上下に分けて案内する２つの案内路と、該２つの案内路を前記シート受面上で合流させる合流路とを備えている構造とすることができる。このような構造とすることで、治具プレートの剛性を損なうことなく、二枚の遮水シートを円滑にシート受面に供給することができる。
本発明の装置は、上記溶着ユニットの治具プレート上に、超音波溶着機のホーンの周りの遮水シートをシート受面に対して押える押圧装置を搭載する構成としてもよく、この場合は、二枚のシートを密着させた状態で超音波溶着を行うことできるので、十分なる溶着量を得ることができる。
本発明の装置はまた、上記溶着ユニットに、超音波溶着機をその軸線回りに所定角度だけ回転させる回動手段を付設するようにしても、治具プレートの合流路内に洗浄水を噴射する噴射ノズルを付設するようにしてもよいものである。
【０００８】
【発明の実施の形態】
以下、本発明の実施の形態を添付図面に基いて説明する。
図１乃至図４は、本発明に係る水中シート接続装置の一つの実施形態を示したものである。これらの図において、１，２は、シート敷設域となる水底地盤３上に沈設された、接続すべき二枚の遮水シート、１０は、前記二枚の遮水シート１，２の側縁部を相互に重合させた状態で超音波溶着する溶着ユニット、５０は、溶着ユニット１０を二枚の遮水シート１，２の重合部分に沿って矢印Ａ方向（溶着方向）へ移動させる駆動ユニット（駆動手段）であり、駆動ユニット５０は、溶着ユニット１０に対してその溶着方向Ａの前側に配置される。
【０００９】
上記溶着ユニット１０は、治具プレート１１上に超音波溶着機１２と押圧装置１３とを搭載してなっている。治具プレート１１は、その内部に、接続すべき二枚の遮水シート１，２を上下に分けて案内する２つの案内路１４，１５と、前記二枚の遮水シート１，２の側縁部を相互に重合させた状態で受けるシート受面１６を含む溶着路１７と、２つの案内路１４，１５を前記シート受面１６を含む溶着路１７に対して合流させる合流路１８とを設けており、これら案内路１４，１５と、合流路１８と溶着路１７とは溶着方向Ａの前側から後側へかけてこの順に配置されている。
【００１０】
上記二つの案内路１４，１５は、図４によく示されるように、治具プレート１１の左・右側面から相互に反対向きに平行に切込まれており、上側の案内路１４は、溶着方向Ａから見て左側の遮水シート１の案内に、下側の案内路１５は、同じく溶着方向Ａから見て右側の遮水シート２の案内にそれぞれ用いられるようになっている（図３）。また、二つの案内路１４，１５は、治具プレート１１の幅方向の中心付近で所定の幅Ｓだけ重なるように切込み深さが設定されている。これにより、接続すべき二枚の遮水シート１，２は、溶着ユニット１０の溶着方向Ａへの移動に応じて案内路１４，１５から合流路１８を経て溶着路１７へと移動し、溶着路１７のシート受面１６に対して相互に側縁部を所定の幅Ｓだけ重合させた状態で送られる。ここで、上側の案内路１４と溶着路１７とは同じ高さレベルに設定されており、したがって、合流路１８では、下側の案内路１５から上側の溶着路１７へ段違いに遮水シート２が移行することになる。そこで、本実施の形態では、合流路１８の底面１９をスロープ形状（図１、４）として、下側の案内路１５から溶着路１７へ遮水シート２を円滑に移行させるようにしている。また、この合流路１８の上面側は、上側の案内路１４のレベルまで上げられており、したがって、この合流路１８内では、上下の遮水シート１と２とが適宜の間隔を開けて対面するようになっている。
【００１１】
上記治具プレート１１は、図３によく示されるように、その前側部分が上板２０と下板２１との間にスペーサ２２を介して中板２３を配したサンドイッチ構造となっている。上板２０、中板２３および下板２１の各板の相互間はスペーサ２２を介してボルト２４で締結されており、上板２０と中板２３との間隙は上側の遮水シート１の案内路１４として、中板２３と下板２１との間隙は下側の遮水シート２の案内路１５としてそれぞれ供されるようになっている。一方、治具プレート１１の後側部分は、前記上板２０と下板２１との二層構造となっており、前記溶着路１７と合流路１８とはこれら上板２０と下板２1との間に形成されている。上板２０、中板２３および下板２１のそれぞれは、一例として板厚12mm程度の厚鋼板からなっており、また、上板２０の上面に補強用リブ２５（図２）が設けられており、これにより治具プレート１１の全体は十分なる剛性を有するものとなっている。また、上板２０の、溶着路１７に臨む部分には比較的大きな開口２６が形成されており、シート受面１６の一部がこの開口２６を通じて治具プレート１１の上方へ開放されている。この開口２６は、前記超音波溶着機１２および押圧装置１３の作業域として提供されるもので、この点については後に詳述する。なお、図４では、説明の便宜のため、治具プレート１１を一体物として示している。
【００１２】
上記治具プレート１１上に搭載された超音波溶着機１２は、図１によく示されるように、超音波振動子３０と、この超音波振動子３０から下方へ延ばされたコーン３１とこのコーン３１の先端に取付けられたホーン３２と、超音波振動子３０以下の構成要素を上下動させる押付用シリンダ３３とを備えている。これら超音波溶着機１２の構成要素のうち、超音波振動子３０と押付用シリンダ３３とは、治具プレート１１に立設した支柱３４に昇降可能に取付けた防水ケース３５内に、コーン３１とホーン３２とは前記防水ケース３５の外側にそれぞれ配置されており、超音波振動子３０の一部が、防水ケース３５の底板を摺動可能にかつ液密に挿通して下方へ延ばされている。防水ケース３５は、支柱３４に添設した昇降用シリンダ３６により昇降駆動されるようになっている。この昇降用シリンダ３６は、超音波溶着機１２の移動およびホーン３２の押付け高さの調整に用いられる。超音波溶着機１２の全体は、そのホーン３２をシート受面１６上の二枚の遮水シート１，２にわずか接触させる位置が下降端となっており、超音波溶着機１２は、前記下降端で押付用シリンダ３３を作動させてそのホーン３２を前記二枚の遮水シート１，２の重合部分に押付け、超音波振動子３０で発生する振動エネルギーを加えて両者を超音波溶着する。
ここで、超音波振動子３０を起振させるための電源、超音波発振器、制御装置等は、後述の台船５上（図６）に設置されている。また、押付用シリンダ３３に作動流体を給排するための流体源、制御弁、制御装置等も前記台船５上に設置されている。なお、防水ケース３５を昇降させる機構は、上記シリンダ３６によることなく、例えば、ラック・ピニオン機構を用いてもよいことはもちろんである。
【００１３】
上記超音波溶着機１２のホーン３２は、図５（Ａ）、（Ｂ）に示すように全体として扁平形状をなしており、特にその先端側のヘッド部３２ａは、薄肉でかつ波形端面を有する形状となっている。このように、ヘッド部３２ａを薄肉でかつ波形端面を有する形状としたのは、二枚の遮水シート１，２の重合部分の押えを確実にして該重合部分への振動エネルギーの伝達効率を向上させるためであり、これにより超音波溶着が円滑にかつ迅速に進行する。なお、ホーン３２は、一例として、その全体的な幅Ｗ＝50〜60mm、ヘッド部３２ａの厚さｔ＝３〜５mm、ヘッド部３２ａの波形の角度θ＝80〜100度程度に設定される。
【００１４】
ここで、上記超音波振動子３０は、押付用シリンダ３３のピストンロッド３３ａに対して軸受３７を介して回動可能に連結されており、その周面には、ほぼ半周にわたって従動ギヤ３０ａが設けられている。一方、防水ケース３５の底板上には、出力軸端に駆動ギヤ３８ａを有する回動用モータ３８と、このモータ３８の回転を前記駆動ギヤ３８ａおよび従動ギヤ３０ａを介して超音波振動子３０に伝える中間ギヤ３９とが配設されている。モータ３８は、治具プレート１１の中心線に対して所定角度α（図２）だけ左・右回転するようにその作動が制御されるようになっており、これに応じて超音波振動子３０はその軸線回りに所定角度αだけ回転し、この結果、ホーン３２は溶着方向Ａに対して所定角度αだけ傾斜する姿勢に適宜位置決めされる。
【００１５】
また、上記治具プレート１１上に搭載された押圧装置１３は、治具プレート１１上に固定した防水ケース４０内に配置されたシリンダ（押圧用シリンダ）４１と、この押圧用シリンダ４１から防水ケース４０を挿通して下方へ延ばしたピストンロッドの先端に固定された押圧ヘッド４２と、この押圧ヘッド４２と一体をなす押圧板４３とを備えている。押圧板４３は、前記治具プレート１１に設けられた開口２６内にほぼ一杯に広がる板面大きさを有すると共に、その一端部に上記超音波溶着機１２のホーン３２の挿通を許容する挿通孔４３ａを形成している。押圧装置１３は、押圧用シリンダ４１の作動に応じてその押圧板４３を前記シート受面１６に対して進退動させ、該シート受面１６に対して遮水シート１，２の重合部分を押圧固定する。この時、押圧板４３の一端側が前記ホーン３２の近傍を押えるので、該ホーン３２による超音波溶着に先行して該押圧板４３を押圧動作させることで、二枚のシートを密着させた状態で超音波溶着を行うことでき、結果として、十分なる溶着量を得ることができるようになる。
【００１６】
本実施の形態において、上記溶着ユニット１０には、前記治具プレート１１の合流路１８内に洗浄水を噴射するための噴射ノズル４５が付設されている（図２）。この噴射ノズル４５には、ホース４６を通じて前記台船５上から清浄な洗浄水が圧送されるようになっており、この洗浄水は、合流路１８の一方の開口から他方の開口へ抜け、これにより、接続すべき二枚の遮水シート１と２との間に滞留している砂等の異物が治具プレート１１の外へ排出される。すなわち、治具プレート１１のシート受面１６上に送られる二枚の遮水シート１，２の重合面には砂等の異物が介在することがなくなり、溶着部の遮水性の保証は確実となる。
【００１７】
一方、上記駆動ユニット５０は、接続すべき二枚の遮水シート１，２を上下に分けて案内する２つの案内路５１，５２を有する移動プレート５３上に、シリンダ（移動用シリンダ）５４と押圧装置５５とを搭載してなっている。移動用シリンダ５４は、移動プレート５３の後端部に立設したブラケット５６に水平方向へ延ばして支持されると共に、その周りは同じブラケット５６に固定した防水ケース５７により覆われている。移動用シリンダ５４は、溶着ユニット１０側へ延ばしたピストンロッド５４ａの先端を、前記治具プレート１１の前端部に立設したブラケット５８に連結させている。また、移動プレート５３側のブラケット５６と治具プレート１１側のブラケット５８とは、左右一対のガイドロッド５９により作動連結されている。ガイドロッド５９は、その一端が治具プレート１１側のブラケット５８に固定されると共に、その他端部が移動プレート５３側のブラケット５６に設けた中空ガイド６０に摺動可能に挿入されており、これにより、いま移動プレート５３上の移動用シリンダ５４のピストンロッド５４ａが伸縮すると、移動プレート５３と治具プレート１１とは、一対のガイドロッド５９をガイドとして相対移動するようになる。
【００１８】
また、移動プレート５３上に搭載された押圧装置５５は、移動プレート５３上に固定した防水ケース６１内に配置されたシリンダ（押圧用シリンダ）６２と、このシリンダ６２から防水ケース６１を摺動可能にかつ液密に挿通して下方へ延ばされたピストンロッド６２ａの先端に固定された押圧ヘッド６３とを備えている。移動プレート５３には、上側の案内路５１を移動プレート５３の上方へ開放する開口６４が形成されており、前記押圧ヘッド６３はこの開口６４に出入り可能となっている。押圧装置５５は、シリンダ６２のピストンロッド６２ａの伸縮に応じてその押圧ヘッド６３を前記開口６４に出入りさせ、上側の遮水シート１を移動プレート５３に対して押圧固定する。なお、これら移動用シリンダ５４、６２に圧力流体を給排するための流体源、制御弁、制御装置等も前記台船５上に設置されている。
【００１９】
以下、上記のように構成した水中シート接続装置の作用と該装置を利用して行う水中シート敷設工法について、図６乃至図８も参照して説明する。なお、図７には、進行方向Ａの後側に配置される溶着ユニット１０をＲ、その前側に配置される駆動ユニット５０をＦとしてそれぞれ示している。
シート敷設に際しては、台船５から接続すべき二枚の遮水シート１，２を、両者の側縁部が相互に重合するように水底地盤３上に沈設し、その後、台船５上から、図示を略すクレーンで吊って本水中シート接続装置を構成する溶着ユニット１０と駆動ユニット５０とを水底地盤３に降ろす。この時、溶着ユニット１０側の押付用シリンダ３３、昇降用シリンダ３６および押圧用シリンダ４１、並びに駆動ユニット５０側の移動用シリンダ５４および押圧用シリンダ６２に作動流体を給排するための配管類は水中ケーブル６（図６）に一括して収納されている。
【００２０】
本シート接続装置を構成する溶着ユニット１０および駆動ユニット５０は、最初二枚の遮水シート１，２の接続端側に降ろされ、先ず、潜水士による潜水作業で、駆動ユニット５０側の移動プレート５３の上・下案内路５１，５２に各対応する二枚の遮水シート１，２が挿入されると共に、溶着ユニット１０側の治具プレート１１の案内路１４，１５、合流路１８および溶着路１７に二枚の遮水シート１，２が挿入される。
【００２１】
上記溶着ユニット１０側（Ｒ側）の押付用シリンダ３３、昇降用シリンダ３６および押圧用シリンダ４１の作動並びに駆動ユニット５０側（Ｆ側）の移動用シリンダ５４および押圧用シリンダ６２の作動は、台船５上に設置したシーケンサー（図示略）によりシーケンス制御されるようになっており、接続開始に際しては、予め移動用シリンダ５４のピストンロッド５４ａが伸長端にあって、溶着ユニット１０と駆動ユニット５０とが最大に離間した状態に位置決めされている（図７▲１▼）。そして、この状態から、先ずＲ側の押圧用シリンダ４１が作動して押圧ヘッド４２が下降し、押圧板４３がシート受面１６に対して二枚の遮水シート１，２の重合部分を押え、続いて昇降用シリンダ３６が作動して超音波溶着機１２の全体が下降して、そのホーン３２の先端部が押圧板４３の挿通孔４３ａに入る。その後、押付用シリンダ３３が作動してホーン３２が前記シート受面１６上の二枚の遮水シート１，２の重合部分に押付けられ、超音波振動子３０で発生する振動エネルギーにより該重合部分が超音波溶着される。この時、ホーン３２は、回動用モータ３８の作動により溶着方向Ａに対して所定角度αだけ左方向または右方向に傾斜する姿勢に位置決めされており、したがって、ホーン３２による溶着線ＷＬは、図８に示すように溶着方向Ａに対して所定角度αだけ傾斜する状態となる。
【００２２】
上記超音波溶着終了により、押付用シリンダ３３と押圧用シリンダ４１とが逆方向に作動して押圧板４３とホーン３２とがわずか上昇し、これと同時にＦ側の押圧用シリンダ６２が作動してその押圧ヘッド６３が移動プレート５３に対して上側の遮水シート１を押圧固定する。なお、この押圧ヘッド６３による押圧固定は、前記超音波溶着行程と並行して実行してもよい。
次に、移動用シリンダ５４が作動してそのピストンロッド５４ａが超音波溶着機１２のホーン３２の幅Ｗ（図５）より短いストロークだけ短縮する。すると、Ｆ側の移動プレート５３が遮水シート１に対して位置固定されていることから、Ｒ側の治具プレート１１が前記ストローク分だけ移動プレート５３側へ移動する。この間、回動用モータ３８の作動によりホーン３２が先の傾斜姿勢と反対側に姿勢変換されおり、前記移動完了により、Ｒ側の押圧用シリンダ４１と押付用シリンダ３３とが順次作動し、再びホーン３２により次の超音波溶着が行われる。この時、ホーンよる溶着線ＷＬは、図８に示すように先の溶着線ＷＬの端部に交差する状態で形成され、これにより溶着線ＷＬの相互間に隙間が生じることはなくなる。
以降、上記動作の繰返しにより二枚の遮水シート１，２の超音波溶着がじぐざぐ状に溶着方向Ａへ進行し、遂にはピストンロッド５４ａが短縮端に達して、図７▲２▼に示すように、Ｒ側の治具プレート１１がＦ側の移動プレート５３に接近する位置まで前進し、これにより溶着ユニット１０（Ｒ）と駆動ユニット５０（Ｆ）との初期間隔分だけ超音波溶着が進行する。
【００２３】
その後は、Ｆ側の押圧用シリンダ６２が作動して、押圧ヘッド６３が遮水シート１を解放すると同時に、Ｒ側の押圧シリンダ４１が作動して押圧板４３が遮水シート１，２をシート受面１６に押圧固定し、続いてＦ側の移動用シリンダ５４のピストンロッド５４ａが伸長する。すると、Ｒ側の治具プレート１１が遮水シート１，２に対して位置固定されていることから、Ｆ側の移動プレート５３が溶接方向Ａへ前進し、遂にはピストンロッド５４ａが伸長端に達して、図７▲３▼に示すようにＦ側の治具プレート１１とＦ側の移動プレート５３とは最大限に離間した状態に位置決めされる。すなわち、溶着ユニット１０（Ｒ）と駆動ユニット（Ｆ）とは、最大限に離間した初期状態に戻り、以降、上記した動作の繰返しにより二枚の遮水シート１，２の超音波溶着が断続的に繰返され、その全長にわたるシート接続は終了する。
【００２４】
ここで、上記実施の形態においては、超音波溶着機１２をその軸線回りに回動させる手段としてモータ３８とギヤ類３０ａ，３８ａ，３９とを用いたが、この回動手段は任意であり、例えば、図９および図１０に示すように防水ケース３５外に配置したシリンダ（回動用シリンダ）７０により回転させる構成としてもよい。すなわち、支柱３４の上端には防水ケース３５の上方を覆うように支持台７１が固定されており、前記回動用シリンダ７０はこの支持台７１の上面から側方へ延ばしたにブラケット７２の先端部に軸着されている。一方、防水ケース３５内に配設された前記超音波溶着機１２の押付用シリンダ３３は、前記軸受３７（図１）を用いることなく超音波振動子３０に直結し、該シリンダ３３の上端から、防水ケース３５の上板を液密に挿通して上方へ延ばした回転軸７３の上部端を前記支持台７１の上面側へ突出させると共に、この回転軸７３の上端部に前記回動用シリンダ７０のピストンロッド７０ａを連結アーム７４を介して作動連結させている。このように構成した回動手段においては、シリンダ７０のピストンロッド７０ａの伸縮に応じて回転軸７３が左回転または右回転し、超音波溶着機１２のホーン３２は、溶着方向Ａに対して所定角度αだけ傾斜する姿勢に適宜位置決めされ、上記実施の形態と同様に超音波溶着をじぐざぐ状（図８）に溶着方向Ａへ進行させることができる。
【００２５】
なお、上記実施の形態では、溶着ユニット１０を移動させる駆動手段として移動プレート５３を備えた駆動ユニット５０を用いたが、本発明は、この駆動手段を限定するものではく、前記駆動ユニット５０に代わる種々の手段を用いることができる。例えば、台船５から延ばしたウインチに溶着ユニット１０をけん引させる方式、水底地盤３に沈設した二枚の遮水シート１，２上にレールを仮設して、該レール上をけん引式または自走式に溶着ユニット１０を移動させる方式、溶着ユニットにクローラを付けて自走させる方式、磁力を利用して溶着ユニット１０を移動させるする方式などがこれに相当する。
【００２６】
【発明の効果】
以上、詳細に説明したように、本発明に係る水中シート接続装置によれば、接続すべき二枚の遮水シートを沈設した後、両者の側縁部を水中で超音波溶着できるので、気中で接続した広大な遮水シートを沈設させる面倒な作業が不要になり、シート破損の危険もなくなって、シート敷設の施工性並びに安全性が向上する。
【図面の簡単な説明】
【図１】本発明に係るシート接続装置の全体構造を示す長手方向の断面図である。
【図２】本シート接続装置の全体構造を示す平面図である。
【図３】本シート接続装置の全体構造を示す幅方向の断面図である。
【図４】本シート接続装置を構成する治具プレートの構造を模式的に示す斜視図である。
【図５】本シート接続装置で用いる超音波溶着用ホーンの形状を示す正面図（Ａ）と側面図（Ｂ）である。
【図６】本シート接続装置を用いて行うシート敷設工法の実施態様を示す模式図である。
【図７】本シート接続装置の動作を示す説明図である。
【図８】本シート接続装置による超音波溶着線の形成状態を示す模式図である。
【図９】超音波溶着機を構成するホーンの姿勢を変換する回動手段の他の実施形態を示す平面図である。
【図１０】図９に示した回動手段の側面図である。
【符号の説明】
１，２  遮水シート
１０  溶着ユニット
１１  治具プレート
１２  超音波溶着機
１３  押圧装置
１４，１５  遮水シートの案内路
１６  シート受面
１７  シート溶着路
１８  合流路
３０  超音波振動子
３１  超音波溶着機のコーン
３２  超音波溶着機のホーン
３３  押付用シリンダ
３５  防水ケース
３８  回動用モータ（回動手段）
４１  押圧用シリンダ
４３  押圧装置の押圧板
４５  噴射ノズル
５０  駆動ユニット（駆動手段）
５４  駆動用シリンダ
６２  押圧用シリンダ
７０  回動用シリンダ（回動手段）
【図１】
0004032379.tif 000002
【図２】
0004032379.tif 000003
【図３】
0004032379.tif 000004
【図４】
0004032379.tif 000005
【図５】
0004032379.tif 000006
【図６】
0004032379.tif 000007
【図７】
0004032379.tif 000008
【図８】
0004032379.tif 000009
【図９】
0004032379.tif 000010
【図１０】
0004032379.tif 000011